(57)【要約】【課題】薄板に取り付けられた換気扇を、不具合によりメンテナンス等で取り外そうとした場合、屋外フードが室外側に落下してしまうという課題があった。【解決手段】室外側の屋外フード８と室内側の換気装置９とを換気用の角穴６を設けた薄板７に取り付ける構成において、換気用の角穴６の形状に合致した筒部３を有するアタッチメント４に筒部３の一方に薄板７へ取り付ける室内側フランジ５とを設け、屋外フード８と換気装置９を室内側からアタッチメント４に嵌挿して取り付ける構成により、換気装置９をメンテナンスする際、屋外フード８が室外側に落下することなく換気装置９を取り外すことができる屋外フード用接続部材１が得られる。【選択図】図１
2008069995.tif 000002
【特許請求の範囲】
【請求項１】
室外側の屋外フードと室内側の換気装置とを換気用の角穴を設けた薄板に取り付ける構成において、前記角穴の形状に合致した筒部を有するアタッチメントに、前記筒部の一方に前記薄板へ取り付ける薄板側フランジと、もう一方に前記屋外フードと前記換気装置を取り付ける室内側フランジとを設け、前記屋外フードと前記換気装置を室内側から前記アタッチメントに嵌挿して取り付ける構成を特徴とした屋外フード用接続部材。
【請求項２】
筒部を、室内側から室外側に向かって下り勾配とする構成を特徴とした請求項１記載の屋外フード用接続部材。
【請求項３】
下り勾配として、筒部を下り勾配とする構成を特徴とした請求項１または２記載の屋外フード用接続部材。
【請求項４】
下り勾配として、筒部の室外側のみを下り勾配とする構成を特徴とした請求項１または２記載の屋外フード用接続部材。
【請求項５】
アタッチメントを、薄板側フランジと筒部を備えた薄板側アタッチメントと、室内側フランジと筒部を備えた室内側アタッチメントとに構成し、前記室内側アタッチメントの筒部を前記薄板側アタッチメントの筒部に嵌挿する構成を特徴とした請求項１または２記載の屋外フード用接続部材。
【請求項６】
薄板側フランジの外径を、室外側フランジの外径よりも大きくする構成を特徴とした請求項１または５記載の屋外フード用接続部材。
【請求項７】
筒部の室外側を、薄板側フランジよりも室外側に突出させた突出部を設ける構成を特徴とした請求項１〜５のいずれかに記載の屋外フード用接続部材。
【請求項８】
板状の突出部を設ける構成を特徴とした請求項７記載の屋外フード用接続部材。
【請求項９】
角穴の頂点に棒状の突出部を設ける構成を特徴とした請求項７記載の屋外フード用接続部材。
【請求項１０】
室内側フランジの端部に、複数の保持部を設ける構成を特徴とした請求項１、５、６のいずれかに記載の屋外フード用接続部材。
【請求項１１】
保持部として、舌片を設ける構成を特徴とした請求項１０記載の屋外フード用接続部材。
【請求項１２】
保持部として、狭持部材を設ける構成を特徴とした請求項１０記載の屋外フード用接続部材。
【発明の詳細な説明】
【技術分野】
【０００１】
本発明は、屋外フードと換気扇を薄板に固定する屋外フード用接続部材に関する。
【背景技術】
【０００２】
従来、この種の換気扇を薄板に固定する構成の一例としては、薄板に相当する窓ガラスに開口部を設けて換気扇を取り付ける構成のものが知られている（例えば、特許文献１参照）。
【０００３】
以下、その換気扇を薄板に固定する構成について、図１７を参照しながら説明する。
【０００４】
図に示すように、前端にフランジ１０１をもつ円筒状の枠体１０２内に電動機１０３および羽根１０４を配設し、枠体１０２の後部には開閉自在なシャッター１０５を設けた換気扇１０６を、窓ガラス１０７の開口部１０８に挿入し、窓ガラス１０７の室外側１０９の面に取付金具１１０を当て、室内側１１１より取付ねじ１１２を蝶入し締め付けている構成である。
【特許文献１】実開昭６２−５２８２８号公報
【発明の開示】
【発明が解決しようとする課題】
【０００５】
このような従来の換気扇を固定する構成において、室外側に重い屋外フードを設ける場合、窓ガラスを鉄板すなわち薄板に変更し、前記薄板を介して室外側に屋外フード、室内側に換気扇を配設し、室内側から取付ねじで共締めして固定していた。そこで、換気扇の不具合によりメンテナンス等で取り外そうとした場合、屋外フードが薄板から室外側へ脱落してしまうという課題があった。
【０００６】
本発明は、このような従来の課題を解決するものであり、換気扇をメンテナンスする際、屋外フードが室外側に脱落することなく換気扇を取り外すことができる屋外フード用接続部材を提供することを目的としている。
【課題を解決するための手段】
【０００７】
本発明の屋外フード用接続部材は上記目的を達成するために、室外側の屋外フードと室内側の換気装置とを換気用の角穴を設けた薄板に取り付ける構成において、前記角穴の形状に合致した筒部を有するアタッチメントに、前記筒部の一方に前記薄板へ取り付ける薄板側フランジと、もう一方に前記屋外フードと前記換気装置を取り付ける室内側フランジとを設け、前記屋外フードと前記換気装置を室内側から前記アタッチメントに嵌挿して取り付ける構成としたものである。
【０００８】
また、筒部を、室内側から室外側に向かって下り勾配とする構成としたものである。
【０００９】
また、下り勾配として、筒部を下り勾配とする構成としたものである。
【００１０】
また、下り勾配として、筒部の室外側のみを下り勾配とする構成としたものである。
【００１１】
また、アタッチメントを、薄板側フランジと筒部を備えた薄板側アタッチメントと、室内側フランジと筒部を備えた室内側アタッチメントとに構成し、前記室内側アタッチメントの筒部を前記薄板側アタッチメントの筒部に嵌挿する構成としたものである。
【００１２】
また、薄板側フランジの外径を、室外側フランジの外径よりも大きくする構成としたものである。
【００１３】
また、筒部の室外側を、薄板側フランジよりも室外側に突出させた突出部を設ける構成としたものである。
【００１４】
また、板上の突出物を設ける構成としたものである。
【００１５】
また、角穴の頂点に棒状の突出部を設ける構成としたものである。
【００１６】
また、室内側フランジの端部に、複数の保持部を設ける構成としたものである。
【００１７】
また、保持部として、舌片を設ける構成としたものである。
【００１８】
また、保持部として、狭持部材を設ける構成としたものである。
【発明の効果】
【００１９】
本発明によれば、屋外フードや換気扇の室内側からの取り付けが容易になるだけでなく、換気扇のメンテナンスの際、屋外フードが室外側の薄板から落下することのない屋外フード用接続部材を提供できる。
【発明を実施するための最良の形態】
【００２０】
本発明の請求項１記載の屋外フード用接続部材は、室外側の屋外フードと室内側の換気装置とを換気用の角穴を設けた薄板に取り付ける構成において、前記角穴の形状に合致した筒部を有するアタッチメントに、前記筒部の一方に前記薄板へ取り付ける薄板側フランジと、もう一方に前記屋外フードと前記換気装置を取り付ける室内側フランジとを設け、前記屋外フードと前記換気装置を室内側から前記アタッチメントに嵌挿して取り付けることを特徴とするものであり、室内側から屋外フードを嵌挿する際、前記屋外フードを仮固定しなくても前記換気装置を装着できるという作用を有する。
【００２１】
また、請求項２記載の屋外フード用接続部材は、筒部を、室内側から室外側に向かって下り勾配とする構成を特徴とするものであり、降雨時に換気用の角穴から雨水が浸入しても筒部が下り勾配のため容易に排水できるという作用を有する。
【００２２】
また、請求項３記載の屋外フード用接続部材は、下り勾配として、筒部を下り勾配とすることを特徴とするものであり、降雨時に換気用の角穴から雨水が浸入しても筒部が下り勾配のため容易に排水できるという作用を有する。
【００２３】
また、請求項４記載の屋外フード用接続部材は、下り勾配として、筒部の室外側のみを下り勾配とすることを特徴とするものであり、降雨時に換気用の角穴から雨水が浸入しても筒部の室外側のみが下り勾配のため容易に排水できるという作用を有する。
【００２４】
また、請求項５記載の屋外フード用接続部材は、アタッチメントを、薄板側フランジと筒部を備えた薄板側アタッチメントと、室内側フランジと筒部を備えた室内側アタッチメントとに構成し、前記室内側アタッチメントの筒部を前記薄板側アタッチメントの筒部に嵌挿する構成を特徴とするものであり、屋外フードを室内側から嵌挿する際、屋外側にネット等の障壁が換気用の角穴に近接して屋外フードに当接することが無き様、薄板側フランジと室内側フランジの間隔を調節できるという作用を有する。
【００２５】
また、請求項６記載の屋外フード用接続部材は、薄板側フランジの外径を、室外側フランジの外径よりも大きくする構成を特徴とするものであり屋外フード用接続部材を室内側から換気用の角穴を設けた薄板に取り付ける際、手前側にある室内側フランジに接触することなく屋外フード用接続部材を固定できるという作用を有する。
【００２６】
また、請求項７記載の屋外フード用接続部材は、筒部の室外側を、薄板側フランジよりも室外側に突出させた突出部を設けたことを特徴とするもので換気用の角穴を設けた薄板に取り付ける際、突出した筒部の室外側が換気用の角に嵌挿され屋外フード用取付部材が固定できる作用を有する。
【００２７】
また、請求項８記載の屋外フード用接続部材は、板上の突出物を設けたことを特徴とするもので換気用の角穴を設けた薄板に取り付ける際、板状の突出部が換気用の角穴の稜線に当接し屋外フード用接続部材が固定できるという作用を有する。
【００２８】
また、請求項９記載の屋外フード用接続部材は、角穴の頂点に棒状の突出部を設けたことを特徴とするもので棒状の突出部は換気用の角穴を設けた薄板に取り付ける際、角穴の頂点に当接し屋外フード用接続部材が固定できるという作用を有する。
【００２９】
また、請求項１０記載の屋外フード用接続部材は、室内側フランジの端部に、複数の保持部を設けたことを特徴とするもので屋外フード用接続部材を薄板に固定した後、屋外フードを室内側から嵌挿し換気装置を取り付ける前に保持部より屋外フードのフランジを仮固定し脱落しなくなるという作用を有する。
【００３０】
また、請求項１１記載の屋外フード用接続部材は、保持部として舌片を設けたことを特徴とするもので屋外フード用接続部材を薄板に固定した後、屋外フード用接続部材を薄板に固定した後、屋外フードを室内側から嵌挿し換気装置を取り付ける前に保持部として設けた舌片により屋外フードのフランジを仮固定する作用を有する。
【００３１】
また、請求項１２記載の屋外フード用接続部材は、保持部として狭持部材を設けたことを特徴とするもので、屋外フード用接続部材を薄板に固定した後、屋外フードを室内側から嵌挿し換気装置を取り付ける前に保持部として設けた狭持部材により屋外フードのフランジを仮固定し脱落しなくなるという作用を有する。
【００３２】
以下、本発明の実施の形態について図１〜図１６を参照しながら説明する。
【００３３】
（実施の形態１）
図１、図２に示すように、本発明の屋外フード用接続部材１は、室外側の屋外フード８と室内側の換気装置９とを換気用の角穴６を設けた薄板７に取り付ける構成において、換気用の角穴６の形状に合致した筒部３を有するアタッチメント４に、筒部３の一方に薄板７へ取り付ける四隅の頂点付近に等間隔に開口したボルト挿通用の複数の取付穴２３を有する薄板側フランジ２と、もう一方に屋外フード８と換気装置９を室内側から嵌挿し、換気用の角穴６の形状に合致した開口部を有し四隅の頂点および、その頂点の中間に位置し等間隔に開口したボルト挿通用の取付穴２４を有する室内側フランジ５を設けた構成である。
【００３４】
上記構成において、屋外フード用接続部材１は、換気用の角穴６を設けた薄板７に、薄板側フランジ２を当接し前記換気用の角穴６を連通させ室内側からボルト２５を挿通し室外側からナット２６を用いて固定する。そして、室内側から屋外フード８を室内側フランジ５の開口部から嵌挿し屋外フード８のフランジ２０と室内側フランジ５をボルト、ナット（いずれも図示せず）を用いて固定した後、換気装置９を室内側から屋外フード８の開口部より嵌挿し固定する。
【００３５】
以上のように、学校の校舎等の窓枠に嵌め込まれた薄板７に固定された屋外フード用接続部材１は、屋外フード８と換気装置９を室内側から嵌挿、固定することが可能となる。
【００３６】
また、換気装置９をメンテナンス時に取り外す際、屋外フード８は屋外フード用接続部材１により室内側にて保持されているため、屋外フード８が脱落することなく換気装置９の着脱が可能となる効果も得られる。
【００３７】
なお、実施の形態１では既に高所にある窓枠に設置された薄板７に屋外フード用接続部材１を固定したが高所にある窓枠から薄板７を外した状態で取り付けても、その作用効果に差異はない。
【００３８】
（実施の形態２）
実施の形態２について、図３を参照しながら説明する。
【００３９】
なお、実施の形態１と同様の構成要素は同一符号で示し、その詳細な説明は省略する。
【００４０】
図３に示すように、薄板側フランジ２と室内側フランジ５を連通する筒部３Ａは、底面が室内側から室外側にかけて下り勾配を設けた構成である。
【００４１】
上記構成において、屋外フード用接続部材１Ａを換気用の角穴６を設けた薄板７に薄板側フランジ２を当接させ、前記換気用の角穴６を連通させ固定する。そして、屋外フード８を室内側フランジ５の開口部から嵌挿し屋外フード８のフランジ２０と室内側フランジ５を固定した後、換気装置９を室内側から屋外フード８の開口部より嵌挿し固定される。
【００４２】
以上のように、降雨により屋外フード８の吐出口から雨水が浸入しても筒部３Ａの底面の勾配によって遡上することなく、室外側へ排出される効果を奏する。
【００４３】
（実施の形態３）
実施の形態３について、図４を参照しながら説明する。
【００４４】
なお、実施の形態１および実施の形態２と同様の構成要素は同一符号とし、その詳細な説明は省略する。
【００４５】
図４に示すように、屋外フード用接続部材１Ｂの筒部３Ｂは全体的に室内側から室外側にかけて下り勾配が設けられて、室内側フランジ５と筒部３Ｂは垂直に、薄板側フランジ２と筒部３Ｂは鋭角になるよう構成する。
【００４６】
上記構成により、筒部３Ｂ全体が傾斜しているため、降雨により屋外フード８の吐出口から雨水が浸入しても筒部３Ｂの勾配によって遡上することなく、室外側へ排出される効果を奏する。
【００４７】
（実施の形態４）
実施の形態４について、図５を参照しながら説明する。
【００４８】
なお、実施の形態１および実施の形態２と同様の構成要素は同一符号とし、その詳細な説明は省略する。
【００４９】
図５に示すように、薄板側フランジ２と室内側フランジ５を連通する筒部３Ｃは、底面が室外側に近接した箇所を室外側に向けて下り勾配とした構成である。
【００５０】
上記構成において、屋外フード用接続部材１Ｃを換気用の角穴６を設けた薄板７に薄板側フランジ２を当接させ、前記換気用の角穴６を連通させ固定する。そして、屋外フード８を室内側フランジ５の開口部から嵌挿し屋外フード８のフランジ２０と室内側フランジ５を固定した後、換気装置９を室内側から屋外フード８の開口部より嵌挿し固定される。
【００５１】
上記構成により、降雨により屋外フード８の吐出口から雨水が浸入しても筒部３Ｃの底面の室外側に近接した箇所の下り勾配によって遡上することなく室外側へ排出される効果を奏する。
【００５２】
（実施の形態５）
実施の形態５について、図６を参照しながら説明する。
【００５３】
なお、実施の形態１および実施の形態２と同様の構成要素は同一符号とし、その詳細な説明は省略する。
【００５４】
図６に示すように、本発明の屋外フード用接続部材１Ｄは、換気用の角穴６を設けた薄板７に当接し換気用の角穴６に合致した開口部２１を有し四隅の頂点付近に等間隔に開口したボルト挿通用の複数の取付穴（図示せず）を有する薄板側フランジ２Ａと薄板側フランジ２Ａの一端部に開口部２１に連通した筒部１０を備えた薄板側アタッチメント１１と、屋外フード８と換気装置９を室内側から嵌挿し、換気用の角穴６と相似形状の開口部２７を有し四隅の頂点および、その頂点の中間に位置し等間隔に開口したボルト挿通用の取付穴（図示せず）を有する室内側フランジ５Ａと室内側フランジ５Ａの一端部に開口部２７に連通し薄板側アタッチメント１１の筒部１０より大きい形状の筒部１２を備えた室内側アタッチメント１３により構成され、薄板側アタッチメント１１の筒部１０を外側から室内側アタッチメント１３の筒部１２が嵌挿し薄板側フランジ２Ａと室内側フランジ５Ａの距離は摺動自在に調節できる構成になっている。
【００５５】
上記構成において、屋外フード用接続部材１Ｄは換気用の角穴６を設けた薄板７に薄板側フランジ２Ａを当接し前記換気用の角穴６を連通させ固定する。室内側フランジ５Ａ及び筒部１２は薄板側フランジ２Ａと筒部１０を備えた薄板側アタッチメント１１の筒部１０に嵌挿され薄板側フランジ２Ａと室内側フランジ５Ａとの間隔を摺動自在に調節することができる。
【００５６】
以上のように、室内側アタッチメント１３の筒部１２を薄板側アタッチメント１１の筒部１０に嵌挿する構成としたことで、屋外フード８を室内側から嵌挿し室外側に露出した屋外フード８の先端部が室外側に設置されている柵やネットなどの障壁に接触することを防止できる。
【００５７】
（実施の形態６）
実施の形態６について、図７および図８を参照しながら説明する。
【００５８】
なお、実施の形態１〜実施の形態５と同様の構成要素は同一符号とし、その詳細な説明は省略する。
【００５９】
図７に示すように、本発明の屋外フード用接続部材１Ｅは、換気用の角穴６に合致した開口部２１を有し四隅の頂点付近に等間隔に開口したボルト挿通用の複数の取付穴２８を有する薄板側フランジ２Ｂと開口部２１と連通する筒部３と筒部３の一方に屋外フード８と換気装置９を室内側から嵌挿し、換気用の角穴６の形状に合致した開口部を有し四隅の頂点および、その頂点の中間に位置し等間隔に開口したボルト挿通用の取付穴２４を有する室内側フランジ５を備え、薄板側フランジ２Ｂの外径は対向する室内側フランジ５の外径よりも大きく構成されている。
【００６０】
上記構成において、屋外フード用接続部材１Ｅは、換気用の角穴６を設けた薄板７に薄板側フランジ２Ｂを当接し換気用の角穴６を連通させ、室内側からボルト２５を挿通し室外側からナット２６を用いて固定する。その際、薄板側フランジ２Ｂは室内側フランジ５よりも大きく構成されていて、ボルト２５により薄板７に係止する時、手前側に位置している室内側フランジ５に干渉することなく固定できる。
【００６１】
以上のように、薄板側フランジ２Ｂの外径を室内側フランジ５の外径よりも大きく構成することで屋外フード用接続部材１Ｅを固定する時、室内側フランジ５に干渉することなく薄板７に固定ができる。
【００６２】
また、薄板７と屋外フード用接続部材１Ｅの固定方法は、室内側から室外側にボルト２５を挿通する方法や室外側から室内側にボルト２５を挿通する方法でもドライバーやスパナ等の工具が室内側フランジ５に干渉しないため、その作用効果に差異はない。
【００６３】
（実施の形態７）
実施の形態７について、図面９および図１０を参照しながら説明する。
【００６４】
なお、実施の形態１〜実施の形態５と同様の構成要素は同一符号とし、その詳細な説明は省略する。
【００６５】
図９に示すように、本発明の屋外フード用接続部材１Ｆは、換気用の角穴６に合致した開口部２１を有し四隅の頂点付近に等間隔に開口したボルト挿通用の複数の取付穴２３を有する薄板側フランジ２と薄板側フランジ２の一方に屋外フード８と換気装置９を室内側から嵌挿し、換気用の角穴６の形状に合致した開口部を有し四隅の頂点および、その頂点の中間に位置し等間隔に開口したボルト挿通用の取付穴２４を有する室内側フランジ５を備え、薄板側フランジ２と室内側フランジ５との間に換気用の角穴６に合致した通風路２２を有する筒部３の室外側は薄板側フランジ２よりも室外側に突出させた突出部１４を設けた構成としている。
【００６６】
上記構成において、屋外フード用接続部材１Ｆは、薄板７に設けられた換気用の角穴６に薄板側フランジ２よりも室外側に突出させた突出部１４を嵌挿させ薄板側フランジ２を薄板７に当接させ室内側からボルト２５を挿通し室外側からナット２６を用いて固定する。
【００６７】
以上のように、筒部３の室外側を薄板側フランジ２よりも室外側に突出させた突出部１４を設けたことで、屋外フード用接続部材１Ｆを取り付ける際、換気用の角穴６に嵌挿し薄板側フランジ２がズレることなく固定することができる。
【００６８】
（実施の形態８）
実施の形態８について、図１１を参照しながら説明する。
【００６９】
なお、実施の形態７と同様の構成要素は同一符号とし、その詳細な説明は省略する。
【００７０】
図１１に示すように、本発明の屋外フード用接続部材１Ｇは、換気用の角穴６に合致した開口部２１を有し四隅の頂点付近に等間隔に開口したボルト挿通用の複数の取付穴２３を有する薄板側フランジ２と薄板側フランジ２の一方に屋外フード８と換気装置９を室内側から嵌挿し、換気用の角穴６の形状に合致した開口部を有し四隅の頂点および、その頂点の中間に位置し等間隔に開口したボルト挿通用の取付穴２４を有する室内側フランジ５を備え、薄板側フランジ２と室内側フランジ５との間に換気用の角穴６に合致した通風路２２を有する筒部３の室外側は薄板側フランジ２よりも室外側に突出させた複数の板状の突出部１５を開口部２１の水平方向に平行に配列して構成している。
【００７１】
上記構成において、屋外フード用接続部材１Ｇは、薄板７に設けられた換気用の角穴６に薄板側フランジ２よりも室外側に突出させた複数の板状の突出部１５を嵌挿させ、薄板側フランジ２を薄板７に当接させ室内側からボルト（図示せず）を挿通し室外側からナット（図示せず）を用いて固定する。
【００７２】
以上のように、薄板側フランジ２よりも室外側に突出させた複数の板状の突出部１５を設けたことで、屋外フード用接続部材１Ｇを取り付ける際、換気用の角穴６に嵌挿し換気用の角穴６の上下方向は複数の板状の突出部１５の配列により薄板側フランジ２がズレることがなく、また、換気用の角穴６の水平方向は複数の板状の突出部１５が換気用の角穴６の横幅に合致する形状のため、薄板側フランジ２が薄板７からズレることなく固定することができる。
【００７３】
（実施の形態９）
実施の形態９について、図１２を参照しながら説明する。
【００７４】
なお、実施の形態７と同様の構成要素は同一符号とし、その詳細な説明は省略する。
【００７５】
図１２に示すように、本発明の屋外フード用接続部材１Ｈは、換気用の角穴６に合致した開口部２１を有し四隅の頂点付近に等間隔に開口したボルト挿通用の複数の取付穴２３を有する薄板側フランジ２と薄板側フランジ２の一方に屋外フード８と換気装置９を室内側から嵌挿し、換気用の角穴６の形状に合致した開口部を有し四隅の頂点および、その頂点の中間に位置し等間隔に開口したボルト挿通用の取付穴２４を有する室内側フランジ５を備え、薄板側フランジ２と室内側フランジ５との間に換気用の角穴６に合致した通風路２２を有する筒部３の室外側は薄板側フランジ２よりも室外側に突出させた複数の棒状の突出部１６を開口部２１の頂点に設けている。
【００７６】
上記構成において、屋外フード用接続部材１Ｈは、薄板７に設けられた換気用の角穴６に薄板側フランジ２よりも室外側に突出させた複数の棒状の突出部１６が薄板７に設けられた換気用の角穴６の頂点に嵌挿させ、薄板側フランジ２を薄板７に当接させ室内側からボルト（図示せず）を挿通し室外側からナット（図示せず）を用いて固定する。
【００７７】
以上のように、薄板側フランジ２よりも室外側に突出させた複数の棒状の突出部１６を開口部２１の頂点に設けたことで、屋外フード用接続部材１Ｈを取り付ける際、換気用の角穴６に複数の棒状の突出部１６を嵌挿し、上下方向や水兵方向に薄板側フランジ２がズレることなく固定することができる。
【００７８】
（実施の形態１０）
実施の形態１０について、図１３および図１４を参照しながら説明する。
【００７９】
なお、実施の形態１、５、６と同様の構成要素は同一符号とし、その詳細な説明は省略する。
【００８０】
図１３に示すように、本発明の屋外フード用接続部材１ｉは、換気用の角穴６に合致した開口部２１を有し四隅の頂点付近に等間隔に開口したボルト挿通用の複数の取付穴２３を有する薄板側フランジ２と開口部２１と連通する筒部３と筒部３の一方に屋外フード８と換気装置９を室内側から嵌挿し、換気用の角穴６の形状に合致した開口部を有し四隅の頂点および、その頂点の中間に位置し等間隔に開口したボルト挿通用の取付穴２４を有する室内側フランジ５を備え、室内側フランジ５の端部に複数の保持部１７を垂直に立ち上げた構成としている。
【００８１】
上記構成において、屋外フード用接続部材１ｉは、換気用の角穴６を設けた薄板７に薄板側フランジ２を当接し換気用の角穴６を連通させ室内側からボルト２５を挿通し室外側からナット２６を用いて固定する。そして、室内側から屋外フード８を嵌挿し屋外フード８のフランジ２０を室内側フランジ５に当接させ、室内側フランジ５の端部に設けた複数の保持部１７を屋外フード８の通風路側へ向けて屈曲させ屋外フード８を仮固定する。
【００８２】
以上のように、室内側フランジ５の端部に複数の保持部１７を設けたことで、屋外フード８を室内側から嵌挿した後、ボルトやナットを用いず固定ができ高所作業で一旦、作業者が足場から降りても屋外フード８が脱落することはなく換気装置を取り付けることができる。
【００８３】
（実施の形態１１）
実施の形態１１について、図１５を参照しながら説明する。
【００８４】
なお、実施の形態１０と同様の構成要素は同一符号とし、その詳細な説明は省略する。
【００８５】
図１５に示すように、本発明の屋外フード用接続部材１Ｊは、換気用の角穴６に合致した開口部２１を有し四隅の頂点付近に等間隔に開口したボルト挿通用の複数の取付穴２３を有する薄板側フランジ２と開口部２１と連通する筒部３と筒部３の一方に屋外フード８と換気装置９を室内側から嵌挿し、換気用の角穴６の形状に合致した開口部を有し四隅の頂点および、その頂点の中間に位置し等間隔に開口したボルト挿通用の取付穴２４を有する室内側フランジ５を備え、室内側フランジ５の端部に複数の舌片１８を垂直に立ち上げた構成としている。
【００８６】
上記構成において、屋外フード用接続部材１Ｊは、換気用の角穴６を設けた薄板７に薄板側フランジ２を当接し換気用の角穴６を連通させ室内側からボルト（図示せず）を挿通し、室外側からナット（図示せず）を用いて固定する。そして、室内側から屋外フード８を嵌挿し屋外フード８のフランジ２０を室内側フランジ５に当接させ室内側フランジ５の端部に設けた複数の舌片１８を屋外フード８の通風路側へ向けて屈曲させ、屋外フード８を仮固定する。
【００８７】
以上のように、室内側フランジ５の端部に複数の舌片１８を設けたことで、屋外フード８を室内側から嵌挿した後、ボルトやナットを用いず固定ができ高所作業等で一旦、作業者が足場から降りても屋外フード８が脱落することはなく換気装置を取り付けることができる。
【００８８】
（実施の形態１２）
実施の形態１２について、図１６を参照しながら説明する。
【００８９】
なお、実施の形態１０と同様の構成要素は同一符号とし、その詳細な説明は省略する。
【００９０】
図１６に示すように、本発明の屋外フード用接続部材１は、換気用の角穴６に合致した開口部２１を有し四隅の頂点付近に等間隔に開口したボルト挿通用の複数の取付穴（図示せず）を有する薄板側フランジ２と開口部６と連通する筒部３と筒部３の一方に屋外フード８と換気装置９を室内側から嵌挿し、換気用の角穴６の形状に合致した開口部を有し四隅の頂点および、その頂点の中間に位置し等間隔に開口したボルト挿通用の取付穴（図示せず）を有する室内側フランジ５を備え屋外フード用接続部材１とは独立した保持部として複数の狭持部材１９を設けた構成としている。
【００９１】
上記構成において、屋外フード用接続部材１は、換気用の角穴６を設けた薄板７に薄板側フランジ２を当接し換気用の角穴６を連通させ室内側からボルト２５を挿通し室外側からナット２６を用いて固定する。そして、室内側から屋外フード８を嵌挿し屋外フード８のフランジ２０を室内側フランジ５に当接させ複数の狭持部材１９を室内側フランジ５と屋外フード８のフランジ２０を狭持させ、屋外フード８を仮固定する。
【００９２】
以上のように、複数の狭持部材１９は単純な構造で製造コストも安価にできるため、容易に室内側フランジ５と屋外フード８のフランジ２０を固定することができ、高所作業等で一旦、作業者が足場から降りても屋外フード８が脱落することなく換気装置を取り付けることができる。
【産業上の利用可能性】
【００９３】
本発明にかかる屋外フード用接続部材の固定方法は、アルミサッシ等の窓枠に設けられた薄板だけでなくプレハブ住宅のような薄壁の建造物にも適用できる。
【図面の簡単な説明】
【００９４】
【図１】本発明の実施の形態１の屋外フード用接続部材の取り付け状態を示す断面図
【図２】同屋外フード用接続部材の形状を示す斜視図
【図３】本発明の実施の形態２の屋外フード用接続部材の取り付け状態を示す断面図
【図４】本発明の実施の形態３の屋外フード用接続部材の取り付け状態を示す断面図
【図５】本発明の実施の形態４の屋外フード用接続部材の取り付け状態を示す断面図
【図６】本発明の実施の形態５の屋外フード用接続部材の取り付け状態を示す断面図
【図７】本発明の実施の形態６の屋外フード用接続部材の取り付け状態を示す断面図
【図８】同屋外フード用接続部材の形状を示す正面図
【図９】本発明の実施の形態７の屋外フード用接続部材の取り付け状態を示す断面図
【図１０】同屋外フード用接続部材の形状を示す斜視図
【図１１】本発明の実施の形態８の屋外フード用接続部材の形状を示す斜視図
【図１２】本発明の実施の形態９の屋外フード用接続部材の形状を示す斜視図
【図１３】本発明の実施の形態１０の屋外フード用接続部材の取り付け状態を示す断面図
【図１４】同屋外フード用接続部材の形状を示す斜視図
【図１５】本発明の実施の形態１１の屋外フード用接続部材の形状を示す斜視図
【図１６】本発明の実施の形態１２の屋外フード用接続部材の取り付け状態を示す断面図
【図１７】従来のガラスに換気扇を取り付けた状態を示す断面図
【符号の説明】
【００９５】
１    屋外フード用接続部材
１Ａ  屋外フード用接続部材
１Ｂ  屋外フード用接続部材
１Ｃ  屋外フード用接続部材
１Ｄ  屋外フード用接続部材
１Ｅ  屋外フード用接続部材
１Ｆ  屋外フード用接続部材
１Ｇ  屋外フード用接続部材
１Ｈ  屋外フード用接続部材
１ｉ  屋外フード用接続部材
１Ｊ  屋外フード用接続部材
２    薄板側フランジ
２Ａ  薄板側フランジ
２Ｂ  薄板側フランジ
３    筒部
３Ａ  筒部
３Ｂ  筒部
３Ｃ  筒部
４    アタッチメント
５    室内側フランジ
５Ａ  室内側フランジ
６    換気用の角穴
７    薄板
８    屋外フード
９    換気装置
１０  筒部
１１  薄板側アタッチメント
１２  筒部
１３  室内側アタッチメント
１４  突出部
１５  板状の突出部
１６  棒状の突出部
１７  保持部
１８  舌片
１９  狭持部材
【図１】
2008069995.tif 000003
【図２】
2008069995.tif 000004
【図３】
2008069995.tif 000005
【図４】
2008069995.tif 000006
【図５】
2008069995.tif 000007
【図６】
2008069995.tif 000008
【図７】
2008069995.tif 000009
【図８】
2008069995.tif 000010
【図９】
2008069995.tif 000011
【図１０】
2008069995.tif 000012
【図１１】
2008069995.tif 000013
【図１２】
2008069995.tif 000014
【図１３】
2008069995.tif 000015
【図１４】
2008069995.tif 000016
【図１５】
2008069995.tif 000017
【図１６】
2008069995.tif 000018
【図１７】
2008069995.tif 000019